(57)【要約】      （修正有） 【課題】美容室や理容室で髪の毛を染める際、薬剤塗布時間を短縮できるヘアカラー用カップを提供する。【解決手段】ヘアカラー用カップ１ａを、以下により構成する。底面中央に面ファスナーを取付け上面が開口したカップ２と、上面に面ファスナー及び下面に面ファスナーを備え前記カップ底面の面ファスナーに上面の面ファスナーを押着して接続される帯状のベルト３。前記カップは、上面開口部分の縁の半分強が外方に向かって広がった拡張部２ａを形成し、かつ、一方前記縁の半分弱が内側に向かって湾曲して返し部２ｂを形成する。前記ベルトを中央が前後に拡張した中央プレートを形成したカップとし、ヘアカラー用カップ及び前記ベルトを一端にバックルを取り付けたカップとする。【選択図】図９
0003146816.tif 000002
【実用新案登録請求の範囲】
【請求項１】
底面中央に面ファスナーを取付け上面が開口したカップと、上面に面ファスナー及び下面に面ファスナーを備え、前記カップ底面の面ファスナーに上面の面ファスナーを押着して接続され、手又は手首に巻きつけ固定する帯状のベルトとからなることを特徴とするヘアカラー用カップ。
【請求項２】
カップを、上面開口部分の縁の半分強が外方に向かって広がった拡張部を形成し、一方前記縁の半分弱が内側に向かって湾曲して返し部を形成したカップとしたことを特徴する請求項１に記載のヘアカラー用カップ。
【請求項３】
ベルトを、長手方向中央部を幅広にした中央プレートを形成したベルトとしたことを特徴とする請求項１又は請求項２に記載のヘアカラー用カップ。
【請求項４】
前記ベルトの一端にバックルを取り付け他端を前記バックルに通し固定することを特徴とする請求項１乃至請求項３に記載のヘアカラー用カップ。
【考案の詳細な説明】
【技術分野】
【０００１】
本考案は、特に美容室や理容室で髪の毛を染める際に使用するヘアカラー用カップに関する考案である。
【背景技術】
【０００２】
従来、美容室等で髪の毛を染める際には、まずヘアカラー用の複数の薬剤をカップに抽出して刷毛で混ぜ、髪に薬剤を塗るときにはカップをテーブル等に置き片手で髪を持ち上げながら別の手で刷毛を使用して薬剤を塗っており、刷毛の薬剤が無くなると再度カップを持ち刷毛で必要な量の薬剤を取って前記のように髪に薬剤を塗っていた。
【０００３】
しかしながら、従来のヘアカラー用カップを使用して髪の毛に薬剤を塗布する方法では刷毛から薬剤が無くなるたびにテーブル等に置いたカップを持ち必要な量の薬剤を取らなければならないため一方の手が髪の毛とヘアカラー用カップを交互に持ち替えなければならず、薬剤の塗布に時間がかかっていた。
【０００４】
また、最初に薬剤を塗布した髪の毛と最後に薬剤を塗布した髪の毛の染まり具合が均一にするために複数の者による共同作業で塗布を行うこともあった。
【特許文献１】特開２００４−３１３４０３号公報
【考案の開示】
【考案が解決しようとする課題】
【０００５】
そこで、本考案は、従来よりも容易に薬剤を塗布することができ、また薬剤の塗布時間を短縮することができるヘアカラー用カップを提供することを目的とするものである。
【課題を解決するための手段】
【０００６】
本考案は、上記の課題を解決するために、底面２ｅ中央に面ファスナー２ｆを取付け上面が開口したカップ２と、上面に面ファスナー３ｂ及び下面に面ファスナー３ａを備え前記カップ２底面の面ファスナー２ｆに上面の面ファスナー３ｂを押着して接続される帯状のベルト３とからなることを特徴とするヘアカラー用カップ１と、前記カップ２において、上面開口部分の縁の半分強が外方に向かって広がった拡張部２ａを形成し、一方前記縁の半分弱が内側に向かって湾曲して返し部２ｂを形成したことを特徴するヘアカラー用カップ１と、前記ベルト３において、中央が前後に拡張した中央プレート３ｃを形成したことを特徴とするヘアカラー用カップ１と、前記ベルト３において、一端にバックル３ｅを取り付けたことを特徴とするヘアカラー用カップ１ａの構成とした。
【考案の効果】
【０００７】
本考案のヘアカラー用カップはカップにベルトを取付けて手の甲側の親指と人差し指の付け根（合谷）にヘアカラー用カップを取り付けることができるため、カップを取り付けた側の手で髪の毛を持ち上げたまま他方の手で刷毛を使用することができる。
【０００８】
また、上記のように常に刷毛を持つ手とは逆の手にヘアカラー用カップが取り付けられているため薬剤を取る度に髪の毛からカップに持ち帰る必要がなく薬剤の塗布時間を短縮することができる。
【０００９】
更に、上記のように薬剤の塗布時間を短縮することができるため薬剤の塗布時間の差が小さく済み、髪をムラ無く染めることができる。
【考案を実施するための最良の形態】
【００１０】
髪の毛を染める際に髪の毛とヘアカラー用カップを持ち替える手間が無く、薬剤の塗布時間を短縮でき、染めムラが起こりにくいという目的を、ヘアカラー用カップにベルトを取り付けることによって実現した。
【実施例１】
【００１１】
先ず、図１から図９を使用して本考案であるへカラー用カップを説明することとする。図１は本考案であるヘアカラー用カップの平面図、図２はヘアカラー用カップの正面図、図３はヘアカラー用カップの背面図、図４はヘアカラー用カップの左側面図、図５はヘアカラー用カップの右側面図、図６はヘアカラー用カップの底面図、図７はヘアカラー用カップのＡ−Ａ線断面図、図８はヘアカラー用カップのＢ−Ｂ線断面図、図９はヘアカラー用カップの斜視図である。
【００１２】
図１から図９に示すように、本考案であるヘアカラー用カップ１は、底面２ｅ中央に面ファスナー（オス）２ｆを取付け上面が開口したカップ２と、上面に面ファスナー（メス）３ｂ及び下面に面ファスナー（オス）３ａを備え前記カップ２底面の面ファスナー（オス）２ｆに上面の面ファスナー（メス）３ｂを押着して接続される帯状のベルト３とからなる。尚、前記面ファスナーのオス及びメスの関係は逆であってもよい。
【００１３】
図１から図４に示すように、前記カップ２の上面は開口しており、更に上面の開口縁の約半分強が外方に向かって広げられた拡張部２ａを形成している。この拡張部２ａは拡張していない部分よりも低い位置にあり、拡張部２ａと拡張していない部分の変わり目である拡張部２ａの両端は傾斜２ｃ、２ｄを形成している。
【００１４】
図５及び図７に示すように前記カップ２の開口した上面において、拡張部２ａ及び傾斜２ｃ、２ｄ以外の部分はカップ２の内側に向かって湾曲した返し部２ｂを形成している。この返し部２ｂによりカップ２内に抽出される薬剤の液だれを防止することができる。
【００１５】
図６に示すように、前記ベルト３の中央部分は前後に向かって半円型に拡張された中央プレート３ｃを形成し、上面には面ファスナー（オス）３ｂ、下面には面ファスナー（メス）３ａを備えている。この中央プレート３ｃの上面にカップ２の面ファスナー（オス）２ｆが押着されて接続される。
【００１６】
上記のように中央プレート３ｃを前後に向かって半円形に拡張して面ファスナー２ｆとの押着面を広げることにより、カップ２とベルト３の押着状態がより安定する。但し、中央プレート３ｃを前後に向かって半円形に拡張した略円形としたが、特に限定したものではなく角形に拡張しても構わない。
【００１７】
次に図１０を使用して、本考案であるヘアカラー用カップの使用方法を説明することとする。図１０は本考案であるヘアカラー用カップを使用した状態を示した図である。
【００１８】
図１０に示すように、本考案であるヘアカラー用カップ１を刷毛５ｂを使用する手と反対の手（図１０では左手）５ａの人差し指から小指に掛けた甲の部分にベルト３を巻き、面ファスナー３ａ、３ｂを押着して固定する。尚、取り付け位置については、手の甲に限定したものではなく、手首等であってもよい。
【００１９】
このとき、カップ２の拡張部２ａが親指側、即ちヘアカラー用カップ１を取り付ける者に向いた状態で取り付ける。
【００２０】
以上のようにヘアカラー用カップ１を取り付けることにより、染毛をする美容師５は被染毛者４の髪の毛を持ちながらヘアカラー用カップ１と刷毛５ｂを使用することができ、カップから薬剤をとるために摘み上げた髪の毛から手を離すことなく薬液を取ることができる。
【００２１】
また、使用する際にカップ２の返し部２ｂが被染毛者４側に向いているため薬剤が被染毛者４に垂れ落ちる心配もなく、作業をすることができる。
【実施例２】
【００２２】
次に図１１を使用して、本考案の第２実施例を説明することとする。図１１は本考案であるヘアカラー用カップの第２実施例の斜視図である。
【００２３】
図１１に示すように、本考案であるヘアカラー用カップ１ａは底面２ｅ中央に面ファスナー（オス）２ｆを取付け上面が開口したカップ２と、上面に面ファスナー（メス）３ｂを備えた中央プレート３ｃを中央に形成し一端にバックル３ｅを取り付けたベルト３とからなる。
【００２４】
図１１に示すように、ヘアカラー用カップ１ａのカップ２は実施例１で示したカップ２と全く同じであり、ベルト３の構造のみが異なっているため、ベルト３について説明することとする。
【００２５】
ベルト３の中央部分は前後に向かって半円形に拡張した中央プレート３ｃを形成しており、この中央プレート３ｃの上面には面ファスナー（オス）３ｂが形成されている。
【００２６】
また、ベルト３の一端にはバックル３ｅが取り付けられており、このバックル３ｅには滑り止め３ｇを形成した留め部材３ｆが取り付けられている。尚、バックル３については他の方法も考えられるため、特にこの形状に限定したものではない。
【００２７】
他端３ｈには特に何も取付られておらず、ヘアカラー用カップ１ａを手に取り付ける際に、ベルト３の他端３ｈをバックル３ｅに通して固定するため、先端に挿通補助のために金具を付けたりすることも考えられる。
【図面の簡単な説明】
【００２８】
【図１】本考案であるヘアカラー用カップの平面図である。
【図２】本考案であるヘアカラー用カップの正面図である。
【図３】本考案であるヘアカラー用カップの背面図である。
【図４】本考案であるヘアカラー用カップの左側面図である。
【図５】本考案であるヘアカラー用カップの右側面図である。
【図６】本考案であるヘアカラー用カップの底面図である。
【図７】本考案であるヘアカラー用カップのＡ−Ａ線断面図である。
【図８】本考案であるヘアカラー用カップのＢ−Ｂ線断面図である。
【図９】本考案であるヘアカラー用カップの斜視図である。
【図１０】本考案であるヘアカラー用カップを使用した状態を示した図である。
【図１１】本考案であるヘアカラー用カップの第２実施例の斜視図である。
【符号の説明】
【００２９】
１      ヘアカラー用カップ
１ａ    ヘアカラー用カップ
２      カップ
２ａ    拡張部
２ｂ    返し部
２ｃ    傾斜
２ｄ    傾斜
２ｅ    底面
２ｆ    面ファスナー（オス）
３      ベルト
３ａ    面ファスナー（オス）
３ｂ    面ファスナー（メス）
３ｃ    中央プレート
３ｄ    アタッチメント
３ｅ    バックル
３ｆ    留め部材
３ｇ    滑り止め
３ｈ    他端
４      被染毛者
５      美容師
５ａ    手
５ｂ    刷毛
【図１】
0003146816.tif 000003
【図２】
0003146816.tif 000004
【図３】
0003146816.tif 000005
【図４】
0003146816.tif 000006
【図５】
0003146816.tif 000007
【図６】
0003146816.tif 000008
【図７】
0003146816.tif 000009
【図８】
0003146816.tif 000010
【図９】
0003146816.tif 000011
【図１０】
0003146816.tif 000012
【図１１】
0003146816.tif 000013
【手続補正書】
【提出日】平成20年10月1日(2008.10.1)
【手続補正１】
【補正対象書類名】実用新案登録請求の範囲
【補正対象項目名】請求項４
【補正方法】変更
【補正の内容】
【請求項４】
前記ベルトの一端にバックルを取り付け他端を前記バックルに通し固定することを特徴とする請求項１、請求項２又は請求項３に記載のヘアカラー用カップ。